(57)【要約】      （修正有）【課題】光学フレア、視野内ケラレなどが発生しないようにするための観察窓の外周部に封止用の接着剤を塗布する十分な領域を確保することで、組立性が向上する内視鏡先端部を提供する。【解決手段】内視鏡先端部２１は、観察窓３１を含む光学系と、光学像を映像信号へ変換する撮像素子と、光学系を保持する保持枠と、保持枠が嵌合される先端硬質部と、観察窓３１が露出する孔部を備え、先端硬質部２１を覆う先端カバー３０と、観察窓３１と先端カバー３０との隙間を封止し、撮像素子の受光部の対辺方向に対応した位置に形成された薄膜層および薄膜層よりも厚く受光部の対角方向に対応した位置に形成された厚膜層を有する非透明な接着部３６と、を具備する。【選択図】図２
2016202830.tif 000002
【特許請求の範囲】
【請求項１】
被写体の光学像の光を集束し、最先端に設けられる観察窓を含む光学系と、
前記光学像を映像信号へ変換する撮像素子と、
前記光学系を保持する保持枠と、
前記保持枠が嵌合される先端硬質部と、
前記観察窓が露出する孔部を備え、前記先端硬質部を覆う先端カバーと、
前記観察窓と前記先端カバーとの隙間を封止し、前記撮像素子の受光部の対辺方向に対応した位置に形成された薄膜層および前記薄膜層よりも厚く前記受光部の対角方向に対応した位置に形成された厚膜層を有する非透明な接着部と、
を具備することを特徴とする内視鏡先端部。
【請求項２】
前記先端カバーの前記孔部に前記受光部の対角方向に対応した位置に凹部が形成され、前記観察窓の外周部と前記凹部との離間距離を大きくした空間内に接着剤が塗布されることで前記厚膜部が形成されていることを特徴とする請求項１に記載の内視鏡先端部。
【請求項３】
前記保持枠の先端外周部分に前記受光部の対角方向に対応した位置にテーパ面が形成され、前記テーパ面によって形成される空間内に接着剤が塗布されることで前記厚膜部が形成されていることを特徴とする請求項１に記載の内視鏡先端部。
【請求項４】
前記先端カバーに設けられる照明窓、開口部および洗浄ノズルを有し、
前記照明窓、前記開口部および前記洗浄ノズルが前記薄肉部の近傍側に配置されていることを特徴とする請求項１から請求項３のいずれか１項に記載の内視鏡先端部。
【請求項５】
請求項１から請求項４のいずれか１項に記載の内視鏡先端部と、
前記内視鏡先端部を有する挿入部と、
を具備することを特徴とする内視鏡。
【発明の詳細な説明】
【技術分野】
【０００１】
本発明は、観察窓が設けられた内視鏡先端部および内視鏡に関する。
【背景技術】
【０００２】
周知の如く、内視鏡は、生体の体内（体腔内）の観察、処置など、または工業用のプラント設備内の検査、修理などのため広く用いられている。
【０００３】
このような、内視鏡は、対物光学系が配設された撮像ユニット、照明光学系としての照明レンズ、処置具チャンネルとしての管路、送気送水用などの送気送水ノズルなどが先端部に設けられている。
【０００４】
例えば、特許文献１に開示されるように、従来の内視鏡は、撮像ユニットの鏡筒の先端部近傍と先端硬質部との隙間に、気密水密保持のために、例えばシリコーン系の接着剤層が設けられている。
【０００５】
そして、従来の内視鏡では、撮像ユニットの先端に設けられる観察窓としての先端レンズの外径範囲を全周にわたって黒色の接着剤（接着層）が塗布されて外周部が接着剤によって封止固定することで、光学フレアを防止する構成となっている。
【先行技術文献】
【特許文献】
【０００６】
【特許文献１】特開２０００−２１７７７６号公報
【発明の概要】
【発明が解決しようとする課題】
【０００７】
ところで、従来の内視鏡は、先端レンズの外周部を封止固定する黒色の接着剤の塗布量が少ないと、入射光が接着層を通過してしまい、内視鏡画像上にリング状の光学フレアとなって表示されていまい、診断上影響を及ぼしてしまう。
【０００８】
そのため、従来の内視鏡は、先端レンズの外周部を封止固定する黒色の接着剤の塗布量を多くして、光学フレアを回避する対策が施されている。
【０００９】
しかしながら、先端レンズの外周部を封止固定する黒色の接着剤の塗布量を多くすると、特に広角視野を有する内視鏡の場合、塗布した接着剤が視野内に写り込み、内視鏡画像に黒く表示されてしまい、画像上にケラレが発生してしまうという問題があった。
【００１０】
したがって、従来の内視鏡では、リング状の光学フレア、視野内ケラレなどが発生しないように、先端レンズの外周部を適量の接着剤で封止固定する組立時の作業が困難であり、組立性が悪く、作業者の熟練度が要求されるという課題があった。
【００１１】
そこで、本発明は、上記事情に鑑みてなされたものであり、光学フレア、視野内ケラレなどが発生しないようにするための観察窓の外周部に封止用の接着剤を塗布する十分な領域を確保することで、組立性が向上する内視鏡先端部および内視鏡を提供することを目的とする。
【課題を解決するための手段】
【００１２】
本発明における一態様の内視鏡先端部は、被写体の光学像の光を集束し、最先端に設けられる観察窓を含む光学系と、前記光学像を映像信号へ変換する撮像素子と、前記光学系を保持する保持枠と、前記保持枠が嵌合される先端硬質部と、前記観察窓が露出する孔部を備え、前記先端硬質部を覆う先端カバーと、前記観察窓と前記先端カバーとの隙間を封止し、前記撮像素子の受光部の対辺方向に対応した位置に形成された薄膜層および前記薄膜層よりも厚く前記受光部の対角方向に対応した位置に形成された厚膜層を有する非透明な接着部と、を具備する。
【００１３】
本発明における一態様の内視鏡は、被写体の光学像の光を集束し、最先端に設けられる観察窓を含む光学系と、前記光学像を映像信号へ変換する撮像素子と、前記光学系を保持する保持枠と、前記保持枠が嵌合される先端硬質部と、前記観察窓が露出する孔部を備え、前記先端硬質部を覆う先端カバーと、前記観察窓と前記先端カバーとの隙間を封止し、前記撮像素子の受光部の対辺方向に対応した位置に形成された薄膜層および前記薄膜層よりも厚く前記受光部の対角方向に対応した位置に形成された厚膜層を有する非透明な接着部と、を備えた内視鏡先端部と、前記内視鏡先端部を有する挿入部と、を具備する。
【発明の効果】
【００１４】
本発明によれば、光学フレア、視野内ケラレなどが発生しないようにするための観察窓の外周部に封止用の接着剤を塗布する十分な領域を確保することで、組立性が向上する内視鏡先端部および内視鏡を提供できる。
【図面の簡単な説明】
【００１５】
【図１】第１の実施の形態の内視鏡システムの構成を概略的に示した説明図
【図２】同、先端部の先端面を示す平面図
【図３】同、図２のＩＩＩ−ＩＩＩ線またはＩＩＩ´−ＩＩＩ´線に沿って切断した先端部の断面図
【図４】同、図２のＩＶ−ＩＶ線に沿って切断した先端部の断面図
【図５】同、図２のＶ−Ｖ線に沿って切断した先端部の断面図
【図６】同、先端カバーと観察窓との間に形成された接着部を示す平面図
【図７】同、観察窓の周囲に形成される接着部とイメージセンサの位置関係を示す斜視図
【図８】第２の実施の形態の先端部の先端面を示す平面図
【図９】同、先端カバーと観察窓との間に形成された接着部を示す平面図
【図１０】同、図８のＸ−Ｘ線またはＸ´−Ｘ´線に沿って切断した先端部の断面図
【発明を実施するための形態】
【００１６】
以下、図面を参照して本発明の形態を説明する。  
なお、以下の説明において、実施の形態に基づく図面は、模式的なものであり、各部分の厚みと幅との関係、夫々の部分の厚みの比率などは現実のものとは異なることに留意すべきであり、図面の相互間においても互いの寸法の関係や比率が異なる部分が含まれている場合がある。
【００１７】
（第１の実施の形態）
図１から図７は、本発明の第１の実施の形態に係り、内視鏡システムの構成を概略的に示した説明図、図２は先端部の先端面を示す平面図、図３は図２のＩＩＩ−ＩＩＩ線またはＩＩＩ´−ＩＩＩ´線に沿って切断した先端部の断面図、図４は図２のＩＶ−ＩＶ線に沿って切断した先端部の断面図、図５は図２のＶ−Ｖ線に沿って切断した先端部の断面図、図６は先端カバーと観察窓との間に形成された接着部を示す平面図、図７は観察窓の周囲に形成される接着部とイメージセンサの位置関係を示す斜視図である。
【００１８】
図１に示す内視鏡システム１は、挿入機器としての内視鏡２と、光源装置５と、ＣＣＵ（カメラコントロールユニット）であるビデオプロセッサ６と、モニタ７と、を有して主要部が構成さえている。
【００１９】
同図に示すように、挿入機器である内視鏡２は、観察対象部位へ挿入する細長の中空状長尺部材としての挿入部１１と、この挿入部１１の基端部に連設された操作部１２と、この操作部１２の側面より延設されたユニバーサルケーブル１３と、このユニバーサルケーブル１３の延出端部に設けられた光源コネクタ１４と、この光源コネクタ１４の側部から延出する電気ケーブル１５と、この電気ケーブル１５の延出端に配設された電気コネクタ１６と、を有して構成されている。
【００２０】
なお、光源コネクタ１４は、光源装置５に着脱自在に接続される。そして、電気コネクタ１６は、ビデオプロセッサ６に着脱自在に接続される。
【００２１】
挿入部１１は、先端側に内視鏡先端部としての先端部２１を有し、この先端部２１の後部に湾曲自在な可動部としての湾曲部２２が連続されている。さらに、湾曲部２２の後部に軟性の管状の部材より形成される長尺で可撓性を有する可撓管部２３が連設されている。
【００２２】
操作部１２は、操作把持部を構成する操作部本体２０と、挿入部１１の可撓管部２３の基端側に接続される折れ止め部２４と、この折れ止め部２４の近傍に配設された挿入部１１内の挿通チャンネルの開口部となる処置具挿通口２５と、を有して構成されている。
【００２３】
操作部本体２０には、挿入部１１の湾曲部２２を湾曲操作するための湾曲操作ノブ２６が回動自在に配設されるとともに、各種内視鏡機能のスイッチ類２８、２９などが設けられている。
【００２４】
なお、湾曲操作ノブ２６は、湾曲部２２を上下方向に湾曲操作するためのＵＤ湾曲操作ノブ２６ａと、湾曲部２２を左右方向に湾曲操作するためのＲＬ湾曲操作ノブ２６ｂとを有し、これらが重畳配設されている。
【００２５】
また、各湾曲操作ノブ２６ａ、２６ｂの回動を停止／解除するときに操作する解除ノブ２７がＲＬ湾曲操作ノブ２６ｂの中心部に設けられている。
【００２６】
光源装置５は、内視鏡２内に設けられた、ここでは図示しないライトガイドに、照明光を供給するものである。
【００２７】
即ち、本実施形態の内視鏡２のユニバーサルケーブル１３、操作部１２、および、挿入部１１内には、図示しないライトガイドが配設されており、このライトガイドを介して、光源装置５は先端部２１の後述の照明窓を構成する照明光学系まで照明光を供給する。この照明光は、照明光学系によって発散されて被検部位を照射する。  
ビデオプロセッサ６は、内視鏡２が撮像した画像データを映像信号化して、モニタ７に表示させる。
【００２８】
さらに、ビデオプロセッサ６は、内視鏡２の操作部１２に配設されたスイッチ類２９の操作信号が入力され、これら信号に基づいて、光源装置５を制御したり、図示しないコンプレッサを駆動したり、または図示しない送水タンクにエアーを送ったりして、エアー、または送水タンク内の洗浄水である水、生理食塩水などを挿入部１１の送気送水チャンネルを介して先端部２１まで送気送水制御する装置も構成している。  
なお、スイッチ類２８は、送気送水の際に、ユーザにより操作される機械的スイッチである。
【００２９】
次に、図２を用いて、先端部２１の先端面に配設される構成要素について簡単に説明する。  
図２に示すように、先端部２１の先端面には、先端カバー３０が接着剤によって固着されている。この先端カバー３０は、複数の孔部が形成されており、これらの孔部に後述する撮像ユニットの最先端に配置される観察窓としての先端レンズ３１、ここでは２つの照明窓である照明レンズ３２および主に先端レンズ３１に向かって送気または送水するための洗浄ノズル３３が配設されている。
【００３０】
なお、１つの孔部は、後述の処置具チャンネルのチャンネル開口部３４を構成している。さらに、先端カバー３０は、前方送気送水のための観察物洗浄口３５を有している。
【００３１】
ここで、図３から図５を用いて、先端部２１の内部構成について説明する。なお、湾曲部２２を湾曲操作する詳細な構成は、周知であるため、それらの説明を省略する。
【００３２】
図３から図５に示すように、内視鏡先端部としての先端部２１内には、ここでは硬質な金属から形成された先端部本体を構成する先端硬質部６１が設けられている。
【００３３】
この先端硬質部６１には、先端硬質部６１の先端面を構成する上述した先端カバー３０が設けられている。この先端カバー３０は、先端硬質部６１の先端面および先端外周部分を覆うように接着固定されている。
【００３４】
ここでは図示しないが、先端硬質部６１に接続された最先端の湾曲駒の後方には、湾曲部２２の内部に設けられる円環状の複数の湾曲駒が回動自在に連結されている。これら複数の湾曲駒の外周には、外皮としての湾曲ゴム６３が被覆されている。
【００３５】
この湾曲ゴム６３は、先端カバー３０の基端から先端硬質部６１の外周を被覆している。そして湾曲ゴム６３の先端部分は、糸巻接着部６３ａによって先端硬質部６１の外周部に固着されている。
【００３６】
先端部２１内に設けられる先端硬質部６１には、複数の挿通孔が形成されている。  
先端硬質部６１の複数の挿通孔には、洗浄ノズル３３、金属性パイプの洗浄チューブ接続管４２、金属性パイプである処置具チャンネル接続管４４、撮像ユニット４５、２つの照明レンズユニット５０および２つのライトガイドバンドル保持管５３が挿嵌されている。
【００３７】
撮像ユニット４５は、図３に示すように、先端側に対物レンズユニット４６を有している。対物レンズユニット４６は、図２に示した先端レンズ３１を含む光学系としての対物レンズ群４７を有し、この対物レンズ群４７を保持する対物レンズ保持枠４８を有している。
【００３８】
撮像ユニット４５は、対物レンズユニット４６の対物レンズ保持枠４８の先端部分が先端硬質部６１の先端面から突出するように先端硬質部６１の挿通孔に基端側から挿嵌されている。
【００３９】
そして、対物レンズユニット４６の最先端に設けられた観察窓となる先端レンズ３１は、外周部と先端カバー３０との隙間を埋める後述する接着部３６によって、気密水密封止されている。なお、接着部３６の構成ついては、後に詳しく説明する。
【００４０】
撮像ユニット４５は、ＣＣＤ、ＣＭＯＳなどを備えた、ここでは図示しないイメージセンサ（撮像素子）が配設されており、このイメージセンサが対物レンズユニット４６の対物レンズ群４７によって集光された撮影光を検出して光電変換により撮像信号を出力する。
【００４１】
この撮像信号は、図１に示した、挿入部１１、操作部１２、ユニバーサルケーブル１３および光源コネクタ１４の内部に挿通する撮像ケーブルを介して、電気コネクタ１６が接続されるビデオプロセッサ６まで出力される。
【００４２】
そして、ビデオプロセッサ６は、撮像信号に基づき画像処理して、モニタ７に出力することで内視鏡画像がモニタ７に表示される。
【００４３】
洗浄ノズル３３は、図４に示すように、先端カバー３０が先端硬質部６１に配設された後に、管状部３３ａが先端硬質部６１の挿通孔の先端側から挿嵌されている。洗浄チューブ接続管４２は、洗浄ノズル３３に連通するように先端硬質部６１の同じ孔部の基端側から挿嵌されている。
【００４４】
洗浄チューブ接続管４２の基端部分には、柔軟な送気送水チューブ４１が接続されている。この送気送水チューブ４１は、図１に示した、挿入部１１、操作部１２およびユニバーサルケーブル１３の内部に挿通しており、光源コネクタ１４まで配設されている。
【００４５】
処置具チャンネル接続管４４は、先端硬質部６１の挿通孔の基端側から挿嵌されている。この処置具チャンネル接続管４４の基端部分には、柔軟なチューブ体である処置具チャンネル４３が接続されている。
【００４６】
この処置具チャンネル４３は、挿入部１１および操作部１２の内部に挿通しており、操作部１２の処置具挿通口２５まで配設されている。
【００４７】
照明レンズユニット５０は、図５に示すように、図２に示した照明レンズ３２を含む複数の照明レンズから構成される照明レンズ群５１を保持する照明レンズ保持枠５２を有している。
【００４８】
照明レンズユニット５０は、照明レンズ保持枠５２の先端部分が先端硬質部６１の先端面から突出するように先端硬質部６１の挿通孔に先端側から挿嵌されている。
【００４９】
ライトガイドバンドル保持管５３は、ライトガイドバンドル５４の先端部分を収容しており、照明レンズユニット５０が配設された先端硬質部６１の同じ挿通孔の基端側から挿嵌されている。
【００５０】
ライトガイドバンドル保持管５３の基端部分には、ライトガイドバンドル５４を被覆する柔軟な保護シース５５が接続されている。
【００５１】
なお、保護シース５５に被覆されたライトガイドバンドル５４は、図１に示した、挿入部１１、操作部１２およびユニバーサルケーブル１３の内部に挿通して、光源コネクタ１４まで配設されている。
【００５２】
このライトガイドバンドル５４は、光源装置５からの照明光を伝送する。そして、照明光は、照明レンズユニット５０を介して、被検体側へ照射される。  
なお、観察物洗浄口３５が開口部となる前方送水管路に関しては、周知な構成であるため、図示せず、その説明を省略する。
【００５３】
次に、先端カバー３０に設けられる観察窓である先端レンズ３１を気密水密封止する接着部３６について、以下に詳しく説明する。  
先端カバー３０には、図６に示すように、観察窓である先端レンズ３１の周囲に形成されて、先端レンズ３１の外径範囲を全周にわたって、先端カバー３０との気密水密保持のために封止する、ここでは黒色の非透明な接着剤が塗布形成された上述の接着部３６が設けられている。この接着部３６は、先端カバー３０の先端レンズ３１が配設される孔部３７の形状に合わせて塗布形成されている。
【００５４】
詳述すると、先端カバー３０の孔部３７は、先端レンズ３１の外周部に対して、紙面に向かって見た対角方向に、ここでは断面半円状の４つの凹部３７ａが形成され、これら４つの凹部３７ａの間に形成された紙面に向かって見た上下左右４方向に先端レンズ３１の外周部に沿って円弧状に形成された４つの縁部３７ｂが形成されている。
【００５５】
なお、４つの凹部３７ａの頂部から先端レンズ３１の外周部までが先端レンズ３１の中心に向かって所定の距離ｄ１（図３および図６参照）で離間しており、４つの縁部３７ｂから先端レンズ３１の外周部までが先端レンズ３１の中心に向かって所定の距離ｄ１よりも短い所定の距離ｄ２（図４から図６参照）で離間している（ｄ１＞ｄ２）。
【００５６】
即ち、接着部３６は、先端レンズ３１の外周部と、先端カバー３０に形成された孔部３７の対角方向に設けられた４つの凹部３７ａおよび上下左右方向に設けられた４つの縁部３７ｂとの間に形成される先端レンズ３１の中心に向かって形成される所定の距離ｄ１，ｄ２の隙間を埋めるように塗布されて硬化処理される。
【００５７】
そのため、接着部３６は、４つの凹部３７ａによって形成された空間を埋める凸部状の４つの厚膜層３６ａが対角方向の領域に形成され、４つの縁部３７ｂを埋める厚膜層３６ａよりも薄い従来と同様な厚さの４つの薄膜層３６ｂが上下左右方向の領域に形成され、先端カバー３０と先端レンズ３１とを気密水密保持する状態で封止している。
【００５８】
なお、上述した照明レンズ３２、洗浄ノズル３３、チャンネル開口部３４および観察物洗浄口３５は、先端部２１が太径化しないように、先端レンズ３１に対して、接着部３６の厚膜層３６ａが形成されていない薄膜層３６ｂの近傍側となる上下左右方向の位置に設けられている。
【００５９】
換言すると、内視鏡２は、先端硬質部６１に設けられる照明レンズ３２、洗浄ノズル３３、チャンネル開口部３４および観察物洗浄口３５が先端レンズ３１に対して、先端カバー３０の孔部３７に形成される４つの凹部３７ａの間となる縁部３７ｂの近傍側に配置されたレイアウトとなっている。
【００６０】
これにより、照明レンズ３２、洗浄ノズル３３、チャンネル開口部３４および観察物洗浄口３５に関連した先端硬質部６１に内蔵されている上述した各構成要素は、従来よりも先端硬質部６１の外径方向に配置されることが防止できるため、先端部２１を太径化することがない構成となっている。
【００６１】
さらに、接着部３６は、図７に示すように、対角方向の領域に形成される４つの厚膜層３６ａの位置が撮影光軸Ｏに沿って撮像ユニット４５に設けられる撮像素子としてのイメージセンサ６０の受光部６０ａの対角方向（図中Ａ〜Ｄで示す領域）と一致しており、上下左右方向の領域に形成される４つの薄膜層３６ｂの位置が撮影光軸Ｏに沿ってイメージセンサ６０の受光部６０ａの対辺方向と一致している。
【００６２】
即ち、先端カバー３０は、先端硬質部６１の先端面に固着された状態において、４つの凹部３７ａの位置が撮影光軸Ｏに沿って先端硬質部６１に内蔵される撮像ユニット４５のイメージセンサ６０の受光部６０ａの対角方向（図中Ａ〜Ｄで示す領域）と一致するように形成され、４つの縁部３７ｂが撮影光軸Ｏに沿ってイメージセンサ６０の受光部６０ａの対辺方向と一致するように形成される。
【００６３】
以上のように構成された本実施の形態の内視鏡２は、撮像ユニット４５のイメージセンサ６０の受光部６０ａが検出する被写体像が広域となって視野角が大きくなる対角方向に合わせて接着部３６の厚膜層３６ａを設けることで、厚膜層３６ａによって先端レンズ３１の外周部分を介して入射される不要な光を十分に遮光して光学フレアを防止できる構成とすることができる。
【００６４】
また、内視鏡２は、先端カバー３０の孔部３７のイメージセンサ６０の受光部６０ａに対する対角方向に４つの凹部３７ａを設けることで、これら４つの凹部３７ａが接着剤の逃げ部となって接着部３６のイメージセンサ６０の受光部６０ａの対角方向に４つの厚膜層３６ａを容易に形成できる。
【００６５】
即ち、観察窓となる先端レンズ３１が配設される先端カバー３０の孔部３７に、イメージセンサ６０の受光部６０ａの対角方向と一致する４つの凹部３７ａを形成することで、これら４つの凹部３７ａにより接着剤を十分に塗布できる領域が確保され、内視鏡画像上に表示されるリング状などの光学フレアを防止するための安定した十分な量の接着剤を塗布して接着部３６に厚膜層３６ａを容易に形成することができ、組立時の作業性が向上する。
【００６６】
なお、内視鏡２は、特に広角視野（例えば、１７０°以上の視野角）を有する構成であっても、視野ケラレに対して厳しい精度が要求されるイメージセンサ６０の受光部６０ａの対角方向に合わせて形成された先端カバー３０の４つの凹部３７ａにより接着剤を十分に塗布できる領域が確保されるため、接着部３６の形成時に、視野内に写り込まないような十分な接着剤を塗布して厚膜層３６ａを容易に形成することができる。
【００６７】
そのため、内視鏡２は、広角視野を有する機種としても、光学フレアを防止し、且つ厚膜層３６ａによる視野ケラレが生じない構成とすることができる。
【００６８】
なお、内視鏡２は、受光部６０ａの対辺方向に対応した接着部３６の薄膜層３６ｂが先端カバー３０の４つの縁部３７ｂとした従来と同様な形状としても、イメージセンサ６０の受光部６０ａの対角方向よりも視野ケラレに対して許容範囲が広いため、光学フレアを防止するため多めに接着剤を塗布して薄膜層３６ｂを形成しても、視野ケラレが発生し難い構成となっている。
【００６９】
以上の説明により、本実施の形態の内視鏡２は、観察窓となる先端レンズ３１の外周部に封止用の接着部３６を形成するとき、光学フレア、視野内ケラレなどを発生させないように、接着剤を容易に塗布することができ、その作業性および組立性を向上させることができる。
【００７０】
（第２の実施の形態）
次に、第２の実施の形態について図８から図１０を用いて説明する。尚、以下の説明において、第１の実施の形態と同様の構成要素については同一の符号を付して説明を省略し、異なる部分のみを説明する。
【００７１】
図８から図１０は、本発明の第２の実施の形態に係り、図８は先端部の先端面を示す平面図、図９は先端カバーと観察窓との間に形成された接着部を示す平面図、図１０は図８のＸ−Ｘ線またはＸ´−Ｘ´線に沿って切断した先端部の断面図である。
【００７２】
本実施の形態の内視鏡２は、図８から図１０に示すように、先端カバー３０に設けられる観察窓である先端レンズ３１を気密水密封止する接着部３６の構成が第１の実施の形態と異なる態様となっている。
【００７３】
具体的には、先端カバー３０には、図９に示すように、先端レンズ３１が配設される孔部３７の形状が従来と同じように、ここでは略真円状となっている。
【００７４】
即ち、先端カバー３０の孔部３７は、先端レンズ３１の外周部との隙間である先端レンズ３１の中心に向かって離間する所定の距離ｄ１，ｄ２が略同一となっている（ｄ１≒ｄ２）。
【００７５】
そして、図１０に示すように、接着部３６を形成する接着剤を塗布する領域が多くなるように、撮像ユニット４５の対物レンズ保持枠４８は、先端レンズ３１を保持する先端部分の対角方向の４箇所に、周方向の所定の範囲（幅）で後方に向けて面取りした先細りとなるテーパ面４８ａを有している。
【００７６】
即ち、先端カバー３０と対物レンズ保持枠４８との間に形成される隙間は、４つのテーパ面４８ａが設けられたイメージセンサ６０の受光部６０ａに対する対角方向のほうが、イメージセンサ６０の受光部６０ａの対辺方向よりも大きくなる。
【００７７】
そのため、ここでの接着部３６は、先端カバー３０に形成された孔部３７と先端レンズ３１の外周部との間に形成され、対物レンズ保持枠４８のイメージセンサ６０の受光部６０ａに対する対角方向に設けられた４つのテーパ面４８部分に厚膜層３６ａが形成され、イメージセンサ６０の受光部６０ａの対辺方向に第１の実施の形態と同様に厚膜層３６ａよりも薄い薄膜層３６ｂが形成される。
【００７８】
換言すると、接着部３６は、厚膜層３６ａのほうが薄膜層３６ｂよりもテーパ面４８と先端カバー３０との間に形成される空間分だけ厚く形成される。
【００７９】
なお、ここでの接着部３６も、図示しないが、４つの厚膜層３６ａの位置が撮影光軸Ｏに沿って撮像ユニット４５に設けられるイメージセンサ６０の受光部６０ａの対角方向と一致しており、４つの薄膜層３６ｂの位置が撮影光軸Ｏに沿ってイメージセンサ６０の受光部６０ａの対辺方向と一致している。
【００８０】
以上のように構成された本実施の形態の内視鏡２でも、第１の実施の形態と同様に、視野角が大きくなる対角方向に合わせて接着部３６の厚膜層３６ａを設けることで、厚膜層３６ａによって先端レンズ３１の外周部分を介して入射される不要な光を十分に遮光して光学フレアを防止できる構成とすることができる。
【００８１】
そして、ここでの内視鏡２も、対物レンズ保持枠４８の先端部分のイメージセンサ６０の受光部６０ａに対応した対角方向に４つのテーパ面４８ａを設けることで、これら４つのテーパ面４８ａと先端カバー３０との間に形成される空間が接着剤の逃げ部となって、接着部３６の厚膜層３６ａを容易に形成できる。
【００８２】
即ち、これら４つのテーパ面４８ａと先端カバー３０との間に形成される空間により接着剤を十分に塗布できる領域が確保され、内視鏡画像上に表示されるリング状などの光学フレアを防止するための安定した十分な量の接着剤を塗布することができるため、接着部３６の厚膜層３６ａを形成する組立作業性が向上する。
【００８３】
そして、ここでの内視鏡２も、特に広角視野を有する構成であっても、視野ケラレに対して厳しい精度が要求されるイメージセンサ６０の受光部６０ａの対角方向に合わせて形成された４つのテーパ面４８ａにより先端カバー３０との間に形成される空間が接着剤を十分に塗布できる領域として確保されるため、接着部３６の形成時に、視野内に写り込まないような十分な接着剤を塗布して厚膜層３６ａを容易に形成することができる。
【００８４】
そのため、内視鏡２は、広角視野を有する機種としても、光学フレアを防止し、且つ厚膜層３６ａによる視野ケラレが生じない構成とすることができる。
【００８５】
以上の説明により、本実施の形態の内視鏡２においても、第１の実施の形態と同様に、観察窓となる先端レンズ３１の外周部に封止用の接着部３６を形成するとき、光学フレア、視野内ケラレなどを発生させないように、接着剤を容易に塗布することができ、その作業性および組立性を向上させることができる。
【００８６】
上述の実施の形態に記載した発明は、その実施の形態および変形例に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得るものである。
【００８７】
例えば、実施の形態に示される全構成要件から幾つかの構成要件が削除されても、述べられている課題が解決でき、述べられている効果が得られる場合には、この構成要件が削除された構成が発明として抽出され得るものである。
【符号の説明】
【００８８】
１…内視鏡システム
２…内視鏡
５…光源装置
６…ビデオプロセッサ
７…モニタ
１１…挿入部
１２…操作部
１３…ユニバーサルケーブル
１４…光源コネクタ
１５…電気ケーブル
１６…電気コネクタ
２０…操作部本体
２１…先端部
２２…湾曲部
２３…可撓管部
２４…折れ止め部
２５…処置具挿通口
２６…湾曲操作ノブ
２６ａ…ＵＤ湾曲操作ノブ
２６ｂ…ＲＬ湾曲操作ノブ
２７…解除ノブ
２８，２９…スイッチ類
３０…先端カバー
３１…先端レンズ
３２…照明レンズ
３３…洗浄ノズル
３３ａ…管状部
３４…チャンネル開口部
３５…観察物洗浄口
３６…接着部
３６ａ…厚膜層
３６ｂ…薄膜層
３７…孔部
３７ａ…凹部
３７ｂ…縁部
４１…送気送水チューブ
４２…洗浄チューブ接続管
４３…処置具チャンネル
４４…処置具チャンネル接続管
４５…撮像ユニット
４６…対物レンズユニット
４７…対物レンズ群
４８…対物レンズ保持枠
５０…照明レンズユニット
５１…照明レンズ群
５２…照明レンズ保持枠
５３…ライトガイドバンドル保持管
５４…ライトガイドバンドル
５５…保護シース
６０…イメージセンサ
６０ａ…受光部
６１…先端硬性部
６３…湾曲ゴム
６３ａ…糸巻接着部
Ｏ…撮影光軸
【図１】
2016202830.tif 000003
【図２】
2016202830.tif 000004
【図３】
2016202830.tif 000005
【図４】
2016202830.tif 000006
【図５】
2016202830.tif 000007
【図６】
2016202830.tif 000008
【図７】
2016202830.tif 000009
【図８】
2016202830.tif 000010
【図９】
2016202830.tif 000011
【図１０】
2016202830.tif 000012